(57)【要約】      （修正有）【課題】均一な厚みで表面が平坦なプレキャストＰＣ床版の製作に寄与するレベル調整コンを提供する。【解決手段】レベル調整コン１０は、モルタル製の塊体でできており、上下に貫通する貫通孔には、下面から所定のかぶり寸法を確保した位置に、金属製のめねじが設けられている。レベル調整コン１０は、プレキャストＰＣ床版の下面と面一になり、床版のコンクリート５と一体化する。シースハット３０は、工場でプレキャストＰＣ床版を製作する際に、床版の上面側からレベル調整コン１０に通じる調整用ボルトの挿入孔を、ガイドシース管２０と協働して確保する。また、床版の製作時にコンクリートの厚み（表面の高さ）を確認する目印となる。レベル調整コン１０は、プレキャストＰＣ床版と一体化し、レベル調整時にコンクリート内で共回りすることはなく、また、腐食の心配もない。【選択図】図１
0003224141.tif 000002
【実用新案登録請求の範囲】
【請求項１】
平行に位置する平坦な上面及び下面と、当該上面及び下面をつなぐ側周面とを有するモルタル製の塊体を備え、
前記塊体には、前記上面から下面に貫通する貫通孔が形成されており、
前記貫通孔は、その内径が予め定めるφ１とされ、
前記下面から所定のかぶり寸法を確保して、前記貫通孔の内周面には、軸方向に所定の長さの金属製のめねじが設けられており、
前記めねじの軸方向上端から上方へ延び、前記貫通孔の内周面を形成し、かつ、前記上面から上方へ突出する金属製の筒体が連設されており、
前記モルタル製の塊体は、前記下面から上面に向かって、前記側周面が拡大するようにテーパーがつけられており、かつ、前記塊体が埋設されたコンクリート内で回らないように、前記側周面は、平面視が非円形に形成されていることを特徴とする、プレキャストＰＣ床版用のレベル調整コン。
【請求項２】
前記めねじは、前記塊体内に埋設された金属製ナットの内周に形成されためねじである、請求項１に記載のレベル調整コン。
【請求項３】
前記モルタル製の塊体は、前記軸方向に下から上へ見て、途中部で拡大するように、その側周面に段差が形成されている、請求項１または２に記載のレベル調整コン。
【請求項４】
前記側周面は、平面視が、前記軸を中心とする円形で、かつ、１８０°対向する周側面に、平坦な削り面が形成されている、請求項１〜３のいずれか一項に記載のレベル調整コン。
【請求項５】
請求項１〜４のいずれか一項に記載のレベル調整コンに取り付けられるガイドシース管に係合されるシースハットであって、
上面、下面及び上面と下面とをつなぐ円周面を有する円柱体と、
前記円柱体の前記上面から下面に貫通する、内径がφ２（φ２＜φ１）の貫通孔と、
前記貫通孔の少なくとも上端部の内周面に形成されためねじと、
前記貫通孔の下端部に連設され、前記貫通孔と同芯状で、内径がφ３（φ３＞φ１）と大きく形成され、前記下面に臨む係合孔と、
前記円柱体の下面から軸方向に所定の高さ位置に、前記円周面の一部が切除され、前記上面と平行に形成されたコンクリートの打設高さの目印となる、天端仕上げ面とを含む、シースハット。
【請求項６】
前記円柱体は、その円周面の外径が、軸方向に下面から上面に向かって大きくなるようにテーパーがつけられている、請求項５に記載のシースハット。
【請求項７】
前記円柱体は、樹脂の一体成形品である、請求項５または６に記載のシースハット。
【考案の詳細な説明】
【技術分野】
【０００１】
本考案は、プレキャストＰＣ床版の製作に用いるレベル調整コン及びシースハットに関する。
【背景技術】
【０００２】
高速道路の橋梁の桁上にある床を「床版」というが、近年の高速道路の新設や床版取替え工事においては、床版は、ＰＣ工場で製作されるプレキャストＰＣ床版が用いられる。プレキャストＰＣ床版は、車の走行方向に対して直角の方向を、プレテンション方式によるＰＣ構造としており、ひび割れを許さない耐久性に優れた床版である。また、プレキャストＰＣ床版は、ＰＣ工場で製作したものを現場へ搬入して使うので、施工的なメリットもある。（非特許文献１及び２を参照）
【先行技術文献】
【非特許文献】
【０００３】
【非特許文献１】https://www.fujips.co.jp/technology/t-bridge/sub12150/1313
【非特許文献２】https://www.pcken.or.jp/techinfo/newtech/yukahan/pc_pre/index.shtml
【考案の概要】
【考案が解決しようとする課題】
【０００４】
プレキャストＰＣ床版を現場で施工するに際して、必要な部材にレベル調整金具がある。現在のレベル調整金具は鋳物鋳造品で、腐食が心配されているという課題がある。
本考案は、プレキャストＰＣ床版の設置高さを調整するための部材を、モルタル製品として実現し、腐食の心配をなくしたレベル調整コンを提供することにある。
また、本考案は、プレキャストＰＣ床版を工場で製作する際に、レベル調整コンを床版の下面に面一に埋設して組込め、かつ、床版を作る際のコンクリート厚を一定にし、かつコンクリート表面の高さ目印となるシースハットを提供することにある。
【課題を解決するための手段】
【０００５】
本考案に係るレベル調整コンは、モルタル製の塊体でできており、上下に貫通する貫通孔には、下面から所定のかぶり寸法を確保した位置に、金属製のめねじが設けられている。レベル調整コンは、プレキャストＰＣ床版の下面と面一になり、床版のコンクリートと一体化する。
本考案に係るシースハットは、工場でプレキャストＰＣ床版を製作する際に、床版の上面側からレベル調整コンに通じる調整用ボルトの挿入孔を、ガイドシース管と協働して確保する。また、床版の製作時にコンクリートの厚み（コンクリートの表面の高さ）及び表面側のかぶりを確認する目印となる。
【考案の効果】
【０００６】
本考案のレベル調整コンは、プレキャストＰＣ床版（のコンクリート）と一体化し、レベル調整時にコンクリート内で共回りすることはなく、また、腐食の心配もない。
本考案のシースハットは、均一な厚みで表面が平坦なプレキャストＰＣ床版の製作に寄与する。
【図面の簡単な説明】
【０００７】
【図１】本考案の一実施形態に係るプレキャストＰＣ床版用のレベル調整コン及びシースハットを用いてプレキャストＰＣ床版を製作する様子を示す図である。
【図２】本考案の一実施形態に係るレベル調整コンの正面図である。
【図３】本考案の一実施形態に係るレベル調整コンの右側面図である。
【図４】本考案の一実施形態に係るレベル調整コンの平面図である。
【図５】本考案の一実施形態に係るレベル調整コンの底面図である。
【図６】本考案の一実施形態に係るレベル調整コンの縦断面図である。
【図７】本考案の一実施形態に係るシースハットの正面図である。
【図８】本考案の一実施形態に係るシースハットの側面図である。
【図９】本考案の一実施形態に係るシースハットの平面図である。
【図１０】本考案の一実施形態に係るシースハットの底面図である。
【図１１】本考案の一実施形態に係るシースハットの縦断面図である。
【考案を実施するための形態】
【０００８】
以下では、図面を参照して、本考案の実施形態について具体的に説明をする。
ＰＣ工場において、プレキャストＰＣ床版を製作する場合、底枠板及び側枠板で囲まれた型枠内に鉄筋の床版骨組みを配置し、予め定める方向に延びる鉄筋には、プレテンション方式による張力を与えた状態として、型枠内へコンクリートを打設する。
コンクリートの打設に先立ち、底枠板の予め定める位置にボルト孔を開け、底枠板にレベル調整コンを配置して、ボルト・ナットにより、レベル調整コンを底枠板に固定する。
【０００９】
図１に、本考案の一実施形態に係るレベル調整コン１０を、底枠板１に固定した状態の一例を示す。図１において、１はプレキャストＰＣ床版を製作する際に使用する底枠板、１０はレベル調整コン、２０はガイドシース管、３０はシースハットである。底枠板１の予め定める位置にボルト孔２が開けられている。このボルト孔２の上にレベル調整コン１０が位置決めして載置され、レベル調整コン１０にガイドシース管２０が被せられる。そして、底枠板１、レベル調整コン１０及びガイドシース管２０を貫くように固定ボルト３が挿通され、底枠板１の下面へ突出する固定ボルト３の下端にナット４が螺合される。また、固定ボルト３の上端からシースハット３０が装着され、ガイドシース管２０の上端にシースハット３０の下面が嵌合するまでシースハット３０が固定ボルト３に螺合されて、底枠板１に対してレベル調整コン１０、ガイドシース管２０及びシースハット３０が固定されている。
【００１０】
ここで、各部材の高さ方向の寸法の一例は、図１に示す通りである。よって、プレキャストＰＣ床版の製作のために打設されたコンクリート５は、シースハット３０の天端仕上げ面３７の高さに合わせれば、コンクリート５の厚みが２６０ｍｍのプレキャストＰＣ床版を製作することができる。また、プレキャストＰＣ床版の厚みを厚くする場合は、ガイドシース管２０に、図示よりも長さの長いものを用いればよい。また、型枠内に配置される骨組みとなる鉄鋼を、シースハット３０の下面より上方にならないよう位置させれば、床版の上面に一例として６０ｍｍのかぶりを確保することができる。
【００１１】
図２〜図６は、本考案の一実施形態に係るレベル調整コン１０の正面図、右側面図、平面図、底面図及び図３のＶＩ−ＶＩに沿うレベル調整コン１０の縦断面図である。レベル調整コン１０の左側面図は右側面図と、背面図は正面図と同一に表われる。
図２〜図６を参照して、レベル調整コン１０は、モルタル製の塊体１１で形成されている。塊体１１は、概ね、テーパーが付与された円柱状であり、平坦な上面１２及び下面１３を有し、上面１２と下面１３とは平行になっている。上面１２及び下面１３をつなぐ側周面１４は、下面１３から上面に向かって外径がゆるやかに拡大するようにテーパーがつけられた円環状面である。側周面１４には、下面１３側から上面１２側に向かって、その途中部で外径が拡大するように、段差部１５が形成されている。
【００１２】
よって、側周面１４は、段差部１５によって、下側周面１４１及び上側周面１４２に区画されている。そして、上側周面１４２には、平面視において１８０°対向する位置に、それぞれ、平坦で垂直に延びる削り面１４３が形成されている。これにより、塊体１１は平面視が非円形となり、レベル調整時に、プレキャストＰＣ床版のコンクリート内で共回りすることが防止されている。
【００１３】
モルタル製の塊体１１には、上面１２から下面１３に貫通する貫通孔１６が形成されている。貫通孔１６は、塊体１１の中央部を上下に貫いている。貫通孔１６の内径は、φ１であり、一例としてφ１＝３４ｍｍである。
図６に示すように、モルタル製の塊体１１には、金属製のナット１７及び筒体１８が埋め込まれている。金属製の筒体１８は、ナット１７の軸方向一端面である上面１７２に連設されている。よって、ナット１７のめねじ１７１及び筒体１８の内周面１８１が貫通孔１６とまっすぐに上下方向に連通している。
【００１４】
また、筒体１８は、塊体１１の上面１２から上方へ所定寸法、例えば１５ｍｍ突出している。この突出部１８２は、ガイドシース管２０をはめる際のガイドとして機能する。
塊体１１に埋め込まれたナット１７は、ナット１７の軸方向他端面である下面１７３と、塊体１１の下面１３との間に所定のかぶり寸法（例えば３０ｍｍ）が確保されている。
その結果、レベル調整コン１０の下面１３がプレキャストＰＣ床版の下面と面一になるように埋め込まれてコンクリートと一体化されると、レベル調整コン１０に含まれる金属ナット１７には、所定のかぶり寸法が確保されており、金属ナット１７の腐食の心配がない。
【００１５】
なお、この実施例では、ナット１７（のめねじ１７１）は、Ｍ３０の調整用ボルトと螺合するものが用いられている。
図７〜図１１は、本考案の一実施形態に係るシースハット３０の正面図、右側面図、平面図、底面図及び図８のＸＩ−ＸＩに沿うシースハット３０の縦断面図である。シースハット３０の左側面図は右側面図と、背面図は正面図と同一に表われる。
【００１６】
図７〜図１１を参照して、シースハット３０は、一例として、樹脂製である。シースハット３０は、円柱体が加工されて作られている。シースハット３０は、円周面３１と、円周面３１の上端において、円周面３１と直交する上面３２と、円周面３１の下端において、円周面３１と直交する下面３３とを有する。そして、上面３２から下面３３に貫通する貫通孔３４が形成されている。貫通孔３４は、円柱体の軸方向中心に沿って延びている。
【００１７】
貫通孔３４の少なくとも上端部の内周面は、それより下方部の内周面より内径がやや小さくされ、一例として、Ｍ２４の固定ボルトが螺合するめねじ３５が形成されている。めねじの軸長は、例えば、２０ｍｍである。
また、貫通孔３４の下端部には、貫通孔３４と同芯状に、その内径が大きく形成され、下面３３に臨む係合孔３６が形成されている。
【００１８】
係合孔３６は、ガイドシース管２０の上端に係合し得るように、その内径が、一例として、３９０ｍｍと広めにされている。
さらに、シースハット３０には、下面３３から軸方向に上方へ所定高さ上がった位置に、円周面３１の一部が切除され、上面３２と平行な天端仕上げ面３７が形成されている。
この天端仕上げ面３７は、プレキャストＰＣ床版の製作時にコンクリートを打設する際の、コンクリート量の高さの目印として機能するものである。また、シースハット３０の下面３３から天端仕上げ面３７までの軸方向長さは、一例として、６０ｍｍとされており、これが、鉄筋に対するコンクリートのかぶり量となっている。
【００１９】
シースハット３０の円周面３１は、外径が、その下端から上端に向かってわずかに大きくなるようにテーパーが付けられている。よって、プレキャストＰＣ床版のコンクリートを固化するための養生が終わり、床版が完成した後は、固定ボルトを取り外すと共に、シースハット３０も床版から外しやすい構成である。
なお、床版の完成後、シースハット３０を外した後に、ガイドシース管２０も取り外してもよい。ガイドシース管２０を取り外す場合は、ガイドシース管２０を、予め、薄くて細長い帯状の金属板を螺旋状に巻いて作った解き易いシース管を使用するのが便利である。
【００２０】
この考案は、以上説明した実施形態に限定されるものではなく、実用新案登録請求の範囲に記載した構成の範囲内において、種々の変更が可能である。
【符号の説明】
【００２１】
１    底枠板
２    ボルト孔
３    ボルト
４、１７    ナット
５    コンクリート
１０    レベル調整コン
１１    塊体
１２、３２、１７２    上面
１３、３３、１７３    下面
１４    側周面
１５    段差部
１６、３４    貫通孔
１８    筒体
２０    ガイドシース管
３０    シースハット
３１、１８１    円周面
３５、１７１    めねじ
３６    係合孔
３７    天端仕上げ面
１４１    下側周面
１４２    上側周面
１４３    削り面
１８２    突出部
【図１】
0003224141.tif 000003
【図２】
0003224141.tif 000004
【図３】
0003224141.tif 000005
【図４】
0003224141.tif 000006
【図５】
0003224141.tif 000007
【図６】
0003224141.tif 000008
【図７】
0003224141.tif 000009
【図８】
0003224141.tif 000010
【図９】
0003224141.tif 000011
【図１０】
0003224141.tif 000012
【図１１】
0003224141.tif 000013